(57)【要約】【課題】  表層のフィルムを剥がすだけで、張られたものが新品同様になり、処理時間とマンパワーとが低減できる、剥がし可能な積層シートを提供する。【解決手段】  一つの積層シート１を備え、積層シート１は適用できるものの表面に設置され、複数のフィルム１１を積層して構成され、各フィルム１１の底部には一つの粘着剤層１３が設けられることにより各フィルム１１が緊密に結合し、また、積層シート１が適用できるものの表面に粘着されたときには、各フィルム１１を表層から順次剥がすことができる。【選択図】    図２
0003109276.tif 000002
【実用新案登録請求の範囲】
【請求項１】
一つの積層シートを備え、
前記積層シートは適用対象の表面に設置され、複数のフィルムを積層して構成され、
各フィルムの底部には一つの粘着剤層が設られることにより各フィルムが緊密に結合し、前記積層シートが適用対象の表面に粘着されたときには、各フィルムを表層から順次剥がすことが可能であることを特徴とする剥がし可能な積層シート。
【請求項２】
各フィルムには一つの引き部がそれぞれ設けてあり、表層のフィルムが汚れたときには、前記引き部によって表層のフィルムが剥がされて廃棄されることを特徴とする請求項１に記載の剥がし可能な積層シート。
【請求項３】
前記フィルムは、透明、または、模様や顔色が印刷されたものであることを特徴とする請求項１に記載の剥がし可能な積層シート。
【請求項４】
前記積層シートは、壁面とする板体に粘着された後、前記板体を適用対象に取付け可能であることを特徴とする請求項１に記載の剥がし可能な積層シート。
【請求項５】
前記粘着剤層の上面に蝋層が設けられることにより、フィルムの剥がしが容易になっていることを特徴とする請求項１に記載の剥がし可能な積層シート。
【請求項６】
前記粘着剤層はリング状に設けられることを特徴とする請求項１に記載の剥がし可能な積層シート。
【請求項７】
各引き部は一つの剥がし段が下へ延在し、前記剥がし段によって各フィルムの剥がしが可能になっていることを特徴とする請求項２に記載の剥がし可能な積層シート。
【考案の詳細な説明】
【技術分野】
【０００１】
本考案は剥がし可能な積層シートに係り、特に生活中に適用され、複数枚のフィルムから構成されたものであり、前記フィルムを順次剥がして使用することができる剥がし可能な積層シートに関するものである。
【背景技術】
【０００２】
生活レベルの向上に従って、生活用品に対する国民の要求は便利性と実用性に重点が置かれている。図１３に示す一般の便器パッド６は旅館やホテルなどの公衆場所に使用され、使用者が多く、各使用者の生活習慣が異なるので、使用者が宿泊した後、ホテル業者は水道水で便器を洗浄する。しかしながら、少数の使用者はやはり病気の伝染を心配してトイレット・ペーパーを便器パッド６１の表面に設置することにより病気の伝染を防止し、また別の使用者は便器パッド６１にしゃがんで排泄するので、便器パッド６１が汚れる。
【０００３】
図１４に示すのはレストランのテーブルの卓面に張られた卓面パッド７である。レストランのテーブルの使用頻度は高く、且つ卓面パッド７が樹脂フィルムであるので、扇風機に吹かれると、卓面パッド７が吹き上げられ、卓面７１でコップや食器などが倒れて使用者の衣装を汚すことがよくあった。また、卓面に卓面パッド７が張ってある場合には、卓面パッド７を頻繁に更新することが必要になり、卓面に卓面パッド７を張らない場合には、卓面を整理することが必要になり、マンパワーを無駄にする。例えば図１５に示すように、卓面パッド７が張ってあっても、衛生を保持するために、やはり卓面を整理することが必要であり、卓面７１を整理するときには、マンパワーがかなり掛かる。
【０００４】
図１６に示すように、部屋の内壁８を補修や更新するときには、内壁８をペイントするか、又は壁紙８１やタイルを内壁８に貼ることは一般の主要なやり方である。しかしながら、内壁８での塗料や壁紙８１やタイルが汚れた場合には、上記ものを更新することが必要になり、専門業者に任せることが必要になるので、費用が無駄に掛かる。
また、例えばデスクや棚などの家具の表面は、長期間使用されると、磨耗や変色がよくあり、補修は難しく、新品を購入するのは費用がかなり掛かる。
【考案の開示】
【考案が解決しようとする課題】
【０００５】
本考案の主な目的は、表層の使用したフィルムを剥がすだけで、張られたものが新品同様になり、処理時間とマンパワーとが低減できる剥がし可能な積層シートを提供することである。
本考案のもう一つの目的は、フィルムに、使用者の好みによって、透明なものを採用してもいいし、模様や顔色が印刷されたものを採用してもいい剥がし可能な積層シートを提供することである。
【課題を解決するための手段】
【０００６】
上記目的を達成するため、本考案による剥がし可能な積層シートは、一つの積層シートを備え、前記積層シートは適用できるものの表面に設置され、複数のフィルムを積層して構成され、各フィルムの底部には一つの粘着剤層が設けられることにより各フィルムが緊密に結合し、また、前記積層シートが適用できるものの表面に粘着されたときには、各フィルムを表層から順次剥がすことができる。
【０００７】
本考案に係る剥がし可能な積層シートによれば、次のような効果がある。
（イ）表層の使用したフィルムを剥がすだけで、張られたものが新品同様になり、処理時間とマンパワーとが低減できる。
（ロ）フィルムは、使用者の好みによって、透明なものを採用してもよいし、模様や顔色が印刷されたものを採用してもよい。
【考案を実施するための最良の形態】
【０００８】
以下、添付図面を参照して本考案の好適な実施例を詳細に説明する。本考案の実施例は、本考案を説明するために挙げたものであり、特許請求の範囲を限定するためのものではない。
本考案の第一実施例による積層シート１は、便器に応用され便器パッドとして使用される。図１に示すように、積層シート１は本来の便器パッドＡに貼って使用される。また、積層シート１は多数枚のフィルム１１を積層して構成され、各フィルム１１には一つの引き部１２が設けてあり、本実施例では、引き部１２が交互に設置され、且つ各フィルム１１の底面には粘着剤層１３がそれぞれ設けてあり、積層シート１を本来の便器パッドＡに貼って使用するときには、図２に示すように、フィルム１１を順次剥がして使用することができる。
【０００９】
各フィルム１１の底面には粘着剤層１３がそれぞれ設けてあるので、各フィルム１１を便器パッドの形状に積層することができる。使用するときには、粘着剤層１３を本来の便器パッドＡに貼って使用し、表層のフィルム１１を使用した後、表層のフィルム１１を剥がすと、図３に示すように、積層シート１は新品状態に回復する。積層シート１は、図４に示すように、透明なものを採用してもよいし、模様や顔色が印刷されたものを採用してもよい。
【００１０】
次に、本考案の第二実施例による積層シートを示す。図５と図６に示すように、積層シートは、壁面とする板体２に粘着した後、板体２を適用されるものに取付けることができる。表層のフィルム２２が汚れたときには、引き部２１によって各フィルム２２を順次剥がすと、壁面は新品状態に回復する。
【００１１】
次に、本考案の第三実施例による積層シートを示す。図７に示すように、積層シート３が卓面パッドとして卓面Ｂに張られ、積層シート３は、図８に示すように、複数のフィルム３１と複数の粘着剤層３２とを緊密に結合して構成されたものである。その設置方式は、各フィルム３１の頂部３３と底部３４とには粘着剤層３２がそれぞれ設けてあり、積層シート３は上記方式により積層して構成され、且つ各フィルム３１には一つの引き部３５がそれぞれ設けてあり、本実施例では、引き部３５が交互に設置されることにより、表層のフィルム３１の剥がしが容易になる。フィルム３１は、透明なものを採用してもよいし、模様や顔色が印刷されたものを採用してもよい。また、粘着剤層３２の頂部に蝋層３６を設けると、フィルム３１が剥がしやすくなり、積層シート３の使用は、もっと便利になり、時間と費用の低減になる。
【００１２】
また、本考案の実施例は、図９と図１０に示すように、容器パッド４１として容器４に応用することもできる。粘着剤層４３は環状にしてもよく、そうすると、各フィルム４２が緊密に結合することもできる。
また、図１１と図１２に示すように、本考案の実施例はゴミ箱５１に応用することもできる。複数のフィルム５２を積層して構成されたゴミバッグ５は各種類のゴミ箱５１に応用される。フィルム５２には一つの引き部５４がそれぞれ設けてあり、各引き部５４には一つの剥がし段５３が下へ延在してあり、剥がし段５３によって各フィルム５２を剥がすことができ、汚れたフィルム５２を剥がした後、綺麗なフィルム５２が露出する。フィルム５２は、透明なものを採用してもよいし、模様や顔色が印刷されたものを採用してもよい。
【図面の簡単な説明】
【００１３】
【図１】本考案の第一実施例による剥がし可能な積層シートを便器に応用した状態を示す斜視図である。
【図２】図１における２-２線の断面図である。
【図３】本考案の第一実施例による剥がし可能な積層シートを剥がす状態を示す概略図である。
【図４】本考案の第一実施例による剥がし可能な積層シートの他の形態を示す概略図である。
【図５】本考案の第二実施例による剥がし可能な積層シートの斜視図である。
【図６】本考案の第二実施例による剥がし可能な積層シートの断面図である。
【図７】本考案の第三実施例による剥がし可能な積層シートの斜視図である。
【図８】本考案の第三実施例による剥がし可能な積層シートの断面図である。
【図９】本考案の実施例が容器に応用される状態を示す斜視図である。
【図１０】本考案の実施例が容器に応用される状態を示す断面図である。
【図１１】本考案の実施例がゴミ箱に応用される状態を示す斜視図である。
【図１２】本考案の実施例がゴミ箱に応用される状態を示す断面図である。
【図１３】従来の便器パッドの使用状態を示す斜視図である。
【図１４】従来の卓面パッドの使用状態を示す斜視図である。
【図１５】従来の卓面パッドの使用状態を示す斜視図である。
【図１６】従来の壁紙の使用状態を示す斜視図である。
【符号の説明】
【００１４】
１  積層シート、１１  フィルム、１２  引き部、１３  粘着剤層、Ａ  本来の便器パッド、２  板体、２１  引き部、２２  フィルム、３  積層シート、３１  フィルム、３２  粘着剤層、３３  頂部、３４  底部、３５  引き部、３６  蝋層、Ｂ  卓面、４  容器、４１  容器パッド、４２  フィルム、４３  粘着剤層、５  ゴミバッグ、５１  ゴミ箱、５２  袋体、５３  剥がし段、５４  引き部
【図１】
0003109276.tif 000003
【図２】
0003109276.tif 000004
【図３】
0003109276.tif 000005
【図４】
0003109276.tif 000006
【図５】
0003109276.tif 000007
【図６】
0003109276.tif 000008
【図７】
0003109276.tif 000009
【図８】
0003109276.tif 000010
【図９】
0003109276.tif 000011
【図１０】
0003109276.tif 000012
【図１１】
0003109276.tif 000013
【図１２】
0003109276.tif 000014
【図１３】
0003109276.tif 000015
【図１４】
0003109276.tif 000016
【図１５】
0003109276.tif 000017
【図１６】
0003109276.tif 000018